(57)【要約】【課題】ハンドホールの点検蓋に取付けた施錠装置の掛け忘れを防止する。【解決手段】中央に四隅を面取りした長辺部６と短辺部７とからなる八角形の係止孔５を設けたフランジ板２の上方に取付けた上部筒１０は、シリンダ室１１の内壁面の対向する面の軸心方向にガイド溝部１４を設け、前記フランジ板２の下方に取付けた下部筒２１は、下面の直角方向を切り欠いたピンガイド溝部２２を設け、内部に前記下部筒２１に挿通する頭部２５の下方に設けた軸部２８の下端にピン溝部２９を有した回転軸２４と、該回転軸のピン溝部２９に挿通するロックピン３５と、前記回転軸２４の軸部２８に巻装したばね３１と、前記ばね３１とロックピン３５との間に介在させるばね止リング３２とからなる掛止作動部Ｃを取付け、下部筒２１の下端に前記回転軸２４を上方に付勢させて軸受リング３８を固着してある。【選択図】図６
2010268539.tif 000002
【特許請求の範囲】
【請求項１】
中央に四隅を面取りして対をなす長辺部（６）と短辺部（７）とからなる八角形の係止孔（５）を設けたフランジ板（２）の上方にキャップ蓋（Ａ）とシリンダ錠（Ｂ）を収容する上部筒（１０）を設け、前記フランジ板（２）の下方に掛止作動部（Ｃ）を有した下部筒（２１）を設けてなる点検蓋旋錠装置において、
前記上部筒（１０）は、シリンダ室（１１）の内壁面の対向する面にそれぞれ軸心方向にガイド溝部（１４）を設け、前記下部筒（２１）は、下部に略四分の一円周を開口したピンガイド溝部（２２）を設け、
該下部筒内には上面中央に嵌合凹部（２６）を有した頭部（２５）の下方に設けた軸部（２８）の下端にピン溝部（２９）を有した回転軸（２４）と、前記ピック溝部（２９）に挿通するロックピン（３５）と、該軸部に巻装するばね（３１）と、該ばねとロックピン（３５）との間に介在させるばね止リング（３２）とからなる掛止作動部（Ｃ）を装着し、前記下部筒（２１）の下端に前記回転軸の軸部（２８）を軸承する軸受リング（３８）を固着し前記回転軸を前記ばね３１で上方に付勢すると共に回転可能に軸承してなり、
前記掛止作動部（Ｃ）の開閉は、ロックピン（３５）がロック位置のとき、キャップ蓋（Ａ）とシリンダ錠（Ｂ）を取り外した上部筒（１０）内に開閉ハンドル（４１）の操作軸（４２）を挿入して下端を該回転軸の頭部（２５）に嵌合させ、操作軸（４２）を押し下げて該回転軸の頭部（２５）を前記フランジ板の係止孔（５）から下方に離脱させた後、該開閉ハンドルを回動してロックピン（３５）をアンロック状態に位置させると、前記操作軸の下端が前記回転軸の頭部（２５）と係合状態で回転が規制され、該操作軸の両側に設けたガイド突起（４３）が前記上部筒のシリンダ室（１１）の下部に掛止して引き抜きが規制されて開閉ハンドル（４１）が上部筒（１０）から引き抜けないようにしたことを特徴とするハンドホール用点検蓋旋錠装置。
【請求項２】
前記フランジ板（２）は、係止孔（５）の下方の短辺部（７ａ）がロック方向で、右側の長辺部（６ａ）をアンロック方向に位置させて、前記フランジ板（２）の上部に取付けた上部筒（１０）のシリンダ室（１１）に設けたガイド溝部（１４）を前記係止孔の長辺部（６）と直角方向に位置させ、前記下部筒（２１）の下部に設けたピンガイド溝（２２）を、前記係止孔（５）の下方の短辺部（７ａ）と右側の長辺部（６ａ）の間を略四分の一円周に開口させて設けたことを特徴とする請求項１記載のハンドホール用点検蓋旋錠装置。
【請求項３】
前記掛止作動部（Ｃ）の回転軸（２４）は、頭部（２５）の上面中央に六角形の嵌合凹部（２６）を設け、上縁両側に前記嵌合凹部（２６）の上下方向の対角線と並行に前記フランジ板（２）の係止孔（５）と係合する係止段部（２７）を設け、軸部（２８）の下端に設けたピン溝部（２９）の開口方向を、前記嵌合凹部（２６）の上下方向の対角線と同一方向に形成したことを特徴する請求項１又は２記載のハンドホール用点検蓋旋錠装置。
【請求項４】
前記開閉ハンドル（４１）は、操作軸（４２）の下端に六角形の回動突部（４４）を設け、前記操作軸の周面両側に前記上部筒（１０）のガイド溝部（１４）に挿通するガイド突起（４３）を前記回動突部（４４）の左右方向の対角線と直角方向に設けたことを特徴とする請求項１記載のハンドホール用点検蓋旋錠装置。
【発明の詳細な説明】
【技術分野】
【０００１】
本発明は、電力用ケーブル、電話ケ−ブル、光通信ケ−ブル、信号用ケーブルなどの地下に埋設してあるライフラインを接続・分岐または点検するための地下埋設型共同溝、即ち、ハンドボールにおける点検蓋に取付ける施錠装置に関する。
【背景技術】
【０００２】
従来、地下に埋設してあるガス管、水道管、電力用ケーブル、電話ケ−ブル、光通信ケ−ブルなどのライフラインを接続・分岐または点検するために設けたハンドホールには、作業者が定期点検や故障を修理するために出入りする点検作業用の開口部が設けられ、該開口部には開閉可能な点検蓋が取付けられている。
【０００３】
前記点検蓋は一重または二重式に取付けられ、各蓋には、共同溝内に埋設してある電力用ケーブル、電話ケーブル、光通信ケーブル、信号用ケーブルなどへの悪戯、または、盗難、破壊行為などを防止するために、簡単に開かないようにそれぞれ施錠装置が設けられている。
【０００４】
前記施錠装置は、安全上、複数の異種施錠手段を組合せて形成してあり、通常、ハンドホールの側壁に設けた掛止フックと係合する掛止手段と、前記掛止手段の不法作動を防止するため施錠装置本体の上部筒内に収容して上方向にのみ引き抜き可能なシリンダ錠と、該シリンダ錠の取り出し防止するキャップ蓋を前記シリンダ室の上方に設けた蓋室内に取出可能に収容して設けてある。これら異種施錠手段はそれぞれ専用の開閉手段を有した開閉治具を用いて開閉を行っている。
【０００５】
例えば、上部筒内に収容したシリンダ錠は、開閉治具に取付けた専用鍵を使用してシリンダ錠の係止爪を開閉して施錠し、キャップ蓋は、開閉冶具の一端に取付けた磁石に吸着させて上方に引き上げて取り出すことができる。このキャップ蓋は、通常の冶具、例えば、ドライバーやペンチなどでは開口することができない仕組みになっている。
【０００６】
また掛止手段は、前記上部筒の内部に開閉冶具の下端を挿入して回転軸の上端に嵌合させた後、該開閉冶具を回動して回転軸を回転させることにより、該回転軸に取付けた掛止アームを回動させてハンドボールの壁面に設けてある掛止フックの下面に移動してロックさせる施錠装置が知られている。
【先行技術文献】
【特許文献】
【０００７】
【特許文献１】特開平１１−１０７３０４号公報
【発明の概要】
【発明が解決しようとする課題】
【０００８】
前記施錠装置をハンドホールの点検蓋、特に二重式点検蓋の内蓋へ取付けて使用する場合、それぞれ異種で複数の施錠手段の施錠操作を行うために掛け忘れが生じやすい。特に、掛止手段はロックアームを回転させることによりロック又はアンロックの操作を行うため、確実にロックしたか否かを目視できないため構造のため、掛け忘れが生じやすく安全性に問題点があった。
【０００９】
本発明は、異種の施錠手段を多段に組合せて形成した施錠装置において、盗難防止をはじめ、地震や走行車両などの衝撃による点検蓋の弛みや脱落を防止することは勿論であるが、特に、作業終了後において、外見上、ロック状態またはアンロック状態の見分けが困難な掛止作動部の掛け忘れを確実に防止して安全性を高めることを目的とするハンドホール用点検蓋の施錠装置を提供する。
【課題を解決するための手段】
【００１０】
本発明は上記課題を解決するために、中央に四隅を面取りして対をなす長辺部６と短辺部７とからなる八角形の係止孔５を設けたフランジ板２の上方にキャップ蓋Ａとシリンダ錠Ｂを収容する上部筒１０を設け、前記フランジ板２の下方に掛止作動部Ｃを有した下部筒２１を設けてなる点検蓋旋錠装置において、前記上部筒１０は、シリンダ室１１の内壁面の対向する面にそれぞれ軸心方向にガイド溝部１４を設け、前記下部筒２１は、下部に略四分の一円周を開口したピンガイド溝部２２を設け、該下部筒内には上面中央に嵌合凹部２６を有した頭部２５の下方に設けた軸部２８の下端にピン溝部２９を有した回転軸２４と、前記ピック溝部２９に挿通するロックピン３５と、該軸部に巻装するばね３１と、該ばねとロックピン３５との間に介在させるばね止リング３２とからなる掛止作動部Ｃを装着し、前記下部筒２１の下端に前記回転軸の軸部２８を軸承する軸受リング３８を固着して前記回転軸を前記ばね３１で上方に付勢すると共に回転可能に軸承してなり、前記掛止作動部Ｃの開閉は、ロックピン３５がロック位置のとき、キャップ蓋Ａとシリンダ錠Ｂを取り外した上部筒１０内に開閉ハンドル４１の操作軸４２を挿入して下端を該回転軸の頭部２５に嵌合させ、操作軸４２を押し下げて該回転軸の頭部２５を前記フランジ板の係止孔５から下方に離脱させた後、該開閉ハンドルを回動してロックピン３５をアンロック状態に位置させると、前記操作軸の下端が前記回転軸の頭部２５と係合状態で回転が規制され、該操作軸の両側に設けたガイド突起４３が前記上部筒のシリンダ室１１の下部に掛止して引き抜きが規制されて開閉ハンドル４１が上部筒１０から引き抜けないようにしたことを特徴とする。また、前記フランジ板２は、係止孔５の下方の短辺部７ａがロック方向で、右側の長辺部６ａをアンロック方向に位置させて、前記フランジ板２の上部に取付けた上部筒１０のシリンダ室１１に設けたガイド溝部１４を前記係止孔の長辺部６と直角方向に位置させ、前記下部筒２１の下部に設けたピンガイド溝２２を、前記係止孔５の下方の短辺部７ａと右側の長辺部６ａの間を略四分の一円周に開口させて設けたことを特徴とする。さらに、前記掛止作動部Ｃの回転軸２４は、頭部２５の上面中央に六角形の嵌合凹部２６を設け、上縁両側に前記嵌合凹部２６の上下方向の対角線と並行に前記フランジ板２の係止孔５と係合する係止段部２７を設け、軸部２８の下端に設けたピン溝部２９の開口方向を、前記嵌合凹部２６の上下方向の対角線と同一方向に形成したことを特徴する。さらにまた、前記開閉ハンドル４１は、操作軸４２の下端に六角形の回動突部４４を設け、前記操作軸の周面両側に前記上部筒１０のガイド溝部１４に挿通するガイド突起４３を前記回動突部４４の左右方向の対角線と直角方向に設けたことを特徴とする。
【発明の効果】
【００１１】
以上のごとく、本発明は、掛止作動部Ｃのロックピン３５を開閉ハンドル４１の回動操作により回転軸２４を回動してロック・アンロックする際、開閉ハンドル４１がアンロック位置のときには操作軸４２は、先端の回動突起４４が前記回転軸２４の頭部２５と係合状態のままで回転方向が規制され、ガイド突起４３は前記上部筒１０のシリンダ室１１の下面、即ち係止部１３ａに掛止して引き抜きが規制されて、開閉ハンドル４１が上部筒１０から引き抜くことができず、アンロック状態、即ち、錠の掛け忘れを確認することができる。さらに、掛止作動部Ｃがロック状態のときは、開閉ハンドル４１の操作軸４２に設けたガイド突起４３がシリンダ室１１のガイド溝部１４と合致して上方に引き抜きが可能となり、ロック状態であることを確認できる。これにより、物理的に掛止作動部Ｃの掛け忘れを確実に防止することができるという利点がある。
【図面の簡単な説明】
【００１２】
【図１】ハンドホールの二重点検蓋の内蓋に施錠装置を取付けた使用状態を示す断面図である。
【図２】内蓋に取付けた施錠装置の要部拡大図である。
【図３】施錠装置の中央断面図である。
【図４】開閉ハンドルの正面図である。
【図５】開閉ハンドルの操作軸の底面図である。
【図６】施錠装置の分解斜視図である。
【図７】フランジ板の平面図である。
【図８】図７のＡ―Ａ線断面図である。
【図９】施錠装置の上部筒内からキャップ蓋とシリンダ錠を除いたロック状態の平面図である。
【図１０】ロック状態の施錠装置の上部筒に開閉ハンドルを挿入した状態の一部破断した断面図である。
【図１１】図１０のＢ―Ｂ線断面図である。
【図１２】図１０のＣ―Ｃ線断面図である。
【図１３】ロック状態の回転軸の嵌合凹部に開閉ハンドルの回動突起を嵌合した状態の一部破断した断面図である。
【図１４】開閉ハンドルを押し込んでロック状態の回転軸をフランジ板の係止孔から下方から押し下げて離脱させた状態の一部破断した断面図である。
【図１５】開閉ハンドルを回動させて回転軸のロックピンをアンロック状態にした断面図である。
【図１６】アンロック状態時に、開閉ハンドルの離脱不能状態を示す一部破断した断面図である。
【図１７】図１６のＤ―Ｄ線断面図である。
【発明を実施するための形態】
【００１３】
本発明の実施形態を図面により説明すると、図１はハンドホールの二重点検蓋の内蓋に施錠装置を取付けた使用状態を示す断面図、図２は内蓋に取付けた施錠装置の要部拡大図、図３は施錠装置の中央断面図、図４は開閉ハンドルの正面図、図５は開閉ハンドルの操作軸の底面図、図６は施錠装置の分解斜視図、図７はフランジ板の平面図、図８は図７のＡ―Ａ線断面図、図９は施錠装置の上部筒内からキャップ蓋とシリンダ錠を除いたロック状態の平面図である。施錠装置１は、非磁性材で耐腐食性を有する金属材、例えば、ステンレス材により形成したフランジ板２の上部にキャップ蓋Ａと、シリンダ錠Ｂを収容する上部筒１０を取付け、前記フランジ板２の下部に施錠手段である掛止作動部Ｃを収容する下部筒２１を取付けて同心状に形成してある。
【００１４】
前記フランジ板２は、図６〜８に示すごとく、上面中央に上面凹部３、下面中央に下面凹部４を同心状に形成し、該上下両面凹部の中央に係止孔５を設けてある。前記係止孔５は、それぞれ向かい合う対辺が長辺部６と短辺部７とからなり、四隅を面取りして略八角形に形成してある。図７、１１に示すごとく、係止孔５の長尺方向に位置する長辺部６がフランジ板２の上下方向になるように位置させ、係止孔５の下方の短辺部７ａがロック方向、右側の長辺部６ａがアンロック方向になるように設けてある。
【００１５】
上部筒１０は、図３、６に示すごとく、内部にシリンダ錠Ｂを収容するシリンダ室１１を設け、該シリンダ室の上方にシリンダ室より大径でキャップ蓋Ａを嵌合させるキャップ室１２、下方にシリンダ室より大径な大径室１３、さらに大径室１３の上部に係止部１３ａをそれぞれ設けてある。前記シリンダ室１１の内壁面には、対向する位置に一対のガイド溝部１４を軸心方向に設け、該ガイド溝部から直角方向に位置をずらせた上部に、シリンダ錠Ｂの上部外面に設けた係止突起１８を嵌合させる係止溝部１５を設けてあり、該シリンダ室の内壁面の下面には大径室１３に連なる係止部１３ａを設けてある。前記上部筒１０は、シリンダ室１１のガイド溝部１４が前記フランジ板２の係止孔５の長手方向である長辺部６と直角方向、即ち、左右方向に位置するように取付けてある。
【００１６】
前記キャップ室１２内に蓋するキャップ蓋Ａは、磁性材で耐腐食性を有する金属材をキャップ状に形成してなり、図３、６に示すごとく、前記キャップ室１２に落とし込みで隙間なく嵌合させることにより、市販のドライバーなどでは取り出すことができず、開閉ハンドル４１の枝部の一端に取付けた強力な磁石４７をキャップ蓋Ａの上面に吸着させて上方に引き上げて取り出すことができる。このキャップ蓋は円形が好ましい。
【００１７】
前記シリンダ錠Ｂは、図３、６に示す如く、該シリンダ錠の上端に設けた係止鍔部１７をキャップ室１２の下端に係止させて収容し、シリンダ室１１の内壁面の上部に設けた係止溝部１５にシリンダ錠Ｂの外面に設けた係止突起１８を嵌合してシリンダ錠Ｂの回転を防止し、シリンダ錠の下部に設けた係止爪部１９を回動して遠心方向に突出させ、シリンダ室１１の下面の係止部１３ａに掛止させると該シリンダ錠を上方に取り出せなくなる。
【００１８】
このようにシリンダ錠Ｂの上面に設けた鍵孔に開閉ハンドル４１に装着してあるシリンダキー４６を挿入して回転させることにより係止爪部１９を回動させてシリンダ室１１の下面に設けた係止部１３ａと係脱させて、シリンダ錠Ｂをシリンダ室１１からの出し入れを防止できる。即ち、シリンダ室１１内にシリンダ錠Ｂが収容されていると、回転軸２４を操作するための開閉ハンドル４１を挿入することができないので安全である。
【００１９】
前記掛止作動部Ｃは、図６に示すごとく、丈夫で耐腐食性を有する金属材により形成した下部筒２１内に取付けられており、該下部筒の下端に底板を兼ねた軸受リング３８を固着してある。
【００２０】
前記下部筒２１は、図６、１２に示すごとく、略四分の一円周を切欠いたピンガイド溝部２２を下端に設け、該ピンガイド溝部の両端部は、それぞれロックピンの幅の半分の長さ分だけ外方に広く切り欠いて、該ロックピンが略９０度回動できるようにしてある。該ピンガイド溝部の開口方向は、前記係止孔５の下方の短辺部７ａ側をロック方向にし、右側の長辺部６ａ側をアンロック方向にして略四分の一円周の長さに開口させ、前記フランジ板２の下面中央に前記上部筒１０と同心状に取付けてある。
【００２１】
掛止作動部Ｃは、前記下部筒２１内に上下動可能且つ回転可能に収容する回転軸２４と、該回転軸を上方に付勢するばね３１と、前記回転軸２４の下部に形成したやや小径の軸部２８の下部に水平方向に設けたピン溝部２９に挿通するロックピン３５と、ばね３１とロックピン３５との間に介在させるばね止リング３２とからなり、前記下部筒２１の下端に固着させた前記軸受リング３８の軸孔３９に回転軸２４の軸部２８を前記軸受リング３８の軸孔３９に挿通して上下動と回動をスムースに行えるように軸承してある。
【００２２】
前記回転軸２４は、前記下部筒２１内に挿通する円柱状の頭部２５の上面中央に六角形の嵌合凹部２６を設け、同じく頭部２５の上端周縁であって前記嵌合凹部２６の上下方向の対角線と並行に切り欠いて形成した対をなす係止段部２７を設け、前記頭部２５の下部に段部２４ａを介して形成したやや小径の軸部２８の下端には、直径方向に前記嵌合凹部２６の上下方向の対角線と同一方向にピン溝部２９を形成してある。
【００２３】
前記回転軸２４の軸部２８に巻装するばね３１の上端は、前記回転軸の頭部２５の下面に設けた段部２４ａに当接し、下端は軸部２８に挿通したばね止リング３２に係止され、前記ばね止リング３２の下面は前記ロックピン３５の上面に当接している。このロックピン３５は、ばね３１の弾発力によりばね止リング３２を介して常に下方に付勢されているため、回転軸２４の上下動や回転動の動きに対し、ガタ付くことなくスムースに追従して上下動や回動することができる。
【００２４】
前記ロックピン３５は、図６、１２に示すごとく、前記下部筒２１の内壁に接するように掛止機能を有する半円状の係止鍔部３６を後端に設けてあり、該係止鍔部は前記下部筒２１内に位置する回転軸２４の軸部２８に設けたピン溝部２９を挿通しているロックピン３５が前進して回転軸２４から脱落するのを防止している。
【００２５】
開閉ハンドル４１は、図４、５に示すごとく、Ｔ字型に形成してあり、操作軸４２の下端の略周面で軸心方向と直角方向に一対のガイド突起４３を設けてあり、軸心方向の下端に六角形の回動突部４４を設けてある。前記ガイド突起４３はこの回動突起４４の向かい合う面と同一方向に設けてある。
【００２６】
前記開閉ハンドル４１の上端一側には、前記キャップ蓋Ａを磁力により吸着させて取り出す外すための強力な磁石４７を設けてあり、他側には前記シリンダ錠Ｂを開閉するシリンダキー４６を装着し、作業中にシリンダキーが紛失するのを防止している。
【００２７】
以下、本発明の実施の形態の作用について説明すると、施錠装置１を取付けた内蓋５２のロック状態は、図１、２に示すごとく、ハンドホール５０の壁面に取付けた掛止フック５４の下側に掛止作動部Ｃのロックピン３５が掛止してあり、内蓋５２を上方へ持ち上げようとすると、ロックピン３５が掛止フック５４と係止して上方へ持ち上げることができない状態、即ち、ロック状態である。
【００２８】
施錠装置１を開錠するには、まず開閉ハンドル４１に設けた磁石４７を、上部筒１０内上部に装着したキャップ蓋Ａの上面に合致させ、強力な磁力によりキャップ蓋Ａを吸着して上部筒１０内から上方に引き上げて、上部筒１０の外部に取り出す。
【００２９】
キャップ蓋Ａを外した後、シリンダ室１１内のシリンダ錠Ｂにシリンダキー４６を差し込み、係止爪部１９を回動させてシリンダ室１１の係止部１３ａとの掛止を外すことによりシリンダ室１１の外部に害シリンダ錠を取り出す。このシリンダ錠Ｂは、施錠装置１と別体であり、定期的又は必要な時に別のものと交換することができ、シリンダ錠をもっと精度のよいものに交換することによってより高度な安全性を維持することができる。
【００３０】
主たる施錠手段である掛止作動部Ｃは、図９、１０、１１に示す如く、フランジ板２の係止孔５内に、回転軸２４の頭部２５の上部両側に設けた係止段部２７が下方からばね３１で付勢されてフランジ板２の長辺部６に該係止段部２７が嵌合係止されてロックされている。
【００３１】
掛止作動部Ｃを開錠する場合、図１０、１１に示すごとく、シリンダ錠Ｂを取出したシリンダ室１１の底面に見える回転軸２４の上面中央部に設けた嵌合凹部２６に対し、開閉ハンドル４１の操作軸４２に設けた回動突起４４を嵌合させて行う。
【００３２】
開錠操作は、図１０、１３に示すごとく、開閉ハンドルの操作軸４２の下部両側に設けたガイド突起４３を上部筒１０のシリンダ室１１に設けたガイド溝１４内に挿入させると、それぞれ同形の回動突起４４と嵌合凹部２６の位置が一致しているため、操作軸４２を下降させると回動突起４４を嵌合凹部２６に嵌合させることができる。
【００３３】
次いで、図１４に示すごとく、開閉ハンドルの操作軸４２をばね３１の弾発力に抗して押し下げて、回転軸２４の頭部２５がフランジ板２の係止孔５内から下方に押し下げ、フランジ板２の下面と頭部２５の上面との間に隙間を有するまで押し下げて摩擦抵抗を生じないようにした状態で、開閉ハンドル４１をアンロック位置に回動させる。
【００３４】
図１５に示すごとく、開閉ハンドルの操作軸４２で回転軸２４を回動してロックピン３５を掛止フック５４の下面からアンロック位置に回動させた（図１７）後、開閉ハンドル４１の押圧力を解消させると、回転軸２４はばね３１の弾発力で押し上げられて頭部２５の上面がフランジ板２の係止孔５の下面に当接して係止する（図１６）。即ち、図１７に示すごとく、回転軸２４が回動すると係止孔５の短辺部７と、回転軸の頭部２５の係止段部２７とが並行に位置し、頭部２５の径が短辺部７の長さより長いため、該頭部の上縁が係止孔５の短辺部７側の下面に当接して係止する。この場合、ガイド突起４３は、上部筒１０の内面に設けたガイド溝部１４の位置から略９０度移動し、係止部１３ａに掛止して該ガイド突起４３はシリンダ室内を上方に移動できないアンロック状態となる。
【００３５】
前記掛止作動部Ｃがアンロック状態のときは、開閉ハンドル４１の操作軸４２は、ガイド突起４３が上部筒１０のシリンダ室１１の下部に設けた係止部１３ａに掛止しているため上方への移動が規制され、回動突部４４の下端は回転軸２４の嵌合凹部２６に係止していて抜けず、該開閉ハンドルの回転が規制される。
【００３６】
施錠装置１の掛止作動部Ｃがロック状態のときは、開閉ハンドル４１を引き抜くことができるが、アンロック状態のときは前記したごとく、開閉ハンドル４１が抜けないため掛止作動部Ｃがアンロック状態であることを物理的に判別できるため、錠の掛け忘れを確実に防止することができる。即ち、開閉ハンドル４１は、ロックピン３５がロック状態でない限り施錠装置１から引き抜くことができないので、施錠忘れを確実に防止することができる利点を有する。
【００３７】
施錠装置１を取付けた内蓋５２をハンドホール５０の点検孔に取付ける場合、あらかじめロック状態にしてある掛止作動部Ｃの上部筒１０内に開閉ハンドル４１を挿入し、一度アンロック状態にして開閉ハンドル４１を施錠装置１に挿入した状態にしてから点検孔に取付け、次いで、前記した手順を行うことによりロックピン３５をロック状態にしてから開閉ハンドル４１を引き抜くことにより掛止作動部Ｃの施錠を行う。
【００３８】
さらに、上部筒１０のシリンダ室１１にシリンダ錠Ｂを収容して、シリンダキー４６を操作して係止爪部１９をシリンダ室１１の係止部１３ａに掛止させて施錠した後にシリンダキーを取り外し、ついで、キャップ蓋Ａを上部筒１０の上部に設けたキャップ室１２内に落とし込んで空回りさせるようにして閉錠作業が完了する。
【符号の説明】
【００３９】
１    施錠装置
２    フランジ板
５    係止孔
６    長辺部
７    短辺部
１０    上部筒
１１    シリンダ室
１４    ガイド溝部
２１    下部筒
２２    ガイド溝部
２４    回転軸
２５    頭部
２６    嵌合凹部
２７    係止段部
２８    軸部
２９    ピン溝部
３１    ばね
３２    ばね止リング
３５    ロックピン
３８    軸受リング
４１    開閉ハンドル
４２    操作軸
４３    ガイド突起
４４    回動突起
５２    内蓋
Ａ      キャップ蓋
Ｂ      シリンダ錠
Ｃ      掛止作動部
【図１】
2010268539.tif 000003
【図２】
2010268539.tif 000004
【図３】
2010268539.tif 000005
【図４】
2010268539.tif 000006
【図５】
2010268539.tif 000007
【図６】
2010268539.tif 000008
【図７】
2010268539.tif 000009
【図８】
2010268539.tif 000010
【図９】
2010268539.tif 000011
【図１０】
2010268539.tif 000012
【図１１】
2010268539.tif 000013
【図１２】
2010268539.tif 000014
【図１３】
2010268539.tif 000015
【図１４】
2010268539.tif 000016
【図１５】
2010268539.tif 000017
【図１６】
2010268539.tif 000018
【図１７】
2010268539.tif 000019